(57)【要約】【課題】昇圧用チョークコイルの大型化を抑えつつ、入力電流の高調波を抑制し得る電源装置及び電源装置を用いた画像形成装置を提供することを目的とする。【解決手段】交流電源ＰＷから出力された電流を整流する整流回路１１と、１対の昇圧用チョークコイルＬ１，Ｌ２を有し、該昇圧用チョークコイルＬ１，Ｌ２の動作を制御することによって、力率を改善するＰＦＣ回路１２と、整流回路１１の出力側とＰＦＣ回路１２の入力側とを繋ぎ、昇圧用チョークコイルＬ１，Ｌ２同士の接続形態を変えるスイッチ１３と、交流電源ＰＷの電圧値に基づいて、スイッチ１３を切り替える切替回路１４と、を有する。【選択図】  図２
2012016164.tif 000002
【特許請求の範囲】
【請求項１】
交流電源から出力された電流を整流する整流回路と、
１対の昇圧用チョークコイルを有し、該昇圧用チョークコイルの動作を制御することによって、力率を改善する力率改善回路と、
前記整流回路の出力側と前記力率改善回路の入力側とを繋ぎ、前記昇圧用チョークコイル同士の接続形態を変えるスイッチと、
前記交流電源の電圧値に基づいて、前記スイッチを切り替える切替手段と、
を有する電源装置。
【請求項２】
前記切替手段は、前記電圧値が２００ボルト系である場合に、前記昇圧用チョークコイルが直列接続となるように切り替えることを特徴とする請求項１に記載の電源装置。
【請求項３】
前記切替手段は、前記電圧値が１００ボルト系である場合に、前記昇圧用チョークコイルが並列接続となるように切り替えることを特徴とする請求項２に記載の電源装置。
【請求項４】
前記力率改善回路は、前記昇圧用チョークコイルのいずれか一方の動作を停止することによって、力率を改善することを特徴とする請求項１から３のいずれか１項に記載の電源装置。
【請求項５】
前記切替手段は、前記電圧値が１００ボルト系である場合に、前記昇圧用チョークコイルが並列接続となるように切り替え、
前記力率改善回路は、前記昇圧用チョークコイルが交互に動作することによって、力率を改善することを特徴とする請求項１に記載の電源装置。
【請求項６】
前記力率改善回路から出力された電圧を予め定められた電圧値の電圧に変換する変換手段を含む請求項１から５のいずれか１項に記載の電源装置。
【請求項７】
請求項１から６のいずれか１項に記載の電源装置と、
前記電源装置から供給された電力が入力される負荷と、
を有する画像形成装置。
【発明の詳細な説明】
【技術分野】
【０００１】
本発明は、電源装置、電源装置を用いた画像形成装置に関する。
【背景技術】
【０００２】
力率改善回路を含む電源装置が知られている。力率改善回路は、自身に入力される入力電流の高調波を抑制して力率を改善する。例えば、特許文献１に示すように、力率改善回路によっては、１対の昇圧用チョークコイルを有し、これらの昇圧用チョークコイルを交互に動作させて入力電流の高調波を抑制して、力率を改善する。
【先行技術文献】
【特許文献】
【０００３】
【特許文献１】特開２００７−１９５２８２号公報
【発明の概要】
【発明が解決しようとする課題】
【０００４】
本発明は、昇圧用チョークコイルの大型化を抑えつつ、入力電流の高調波を抑制し得る電源装置及び電源装置を用いた画像形成装置を提供することを目的とする。
【課題を解決するための手段】
【０００５】
請求項１に記載の発明は、交流電源から出力された電流を整流する整流回路と、１対の昇圧用チョークコイルを有し、該昇圧用チョークコイルの動作を制御することによって、力率を改善する力率改善回路と、整流回路の出力側と力率改善回路の入力側とを繋ぎ、昇圧用チョークコイル同士の接続形態を変えるスイッチと、交流電源の電圧値に基づいて、スイッチを切り替える切替手段と、を有する電源装置である。
【０００６】
請求項２に記載の発明は、請求項１に記載の発明において、切替手段は、電圧値が２００ボルト系である場合に、昇圧用チョークコイルが直列接続となるように切り替えることを特徴としている。
【０００７】
請求項３に記載の発明は、請求項２に記載の発明において、切替手段は、電圧値が１００ボルト系である場合に、昇圧用チョークコイルが並列接続となるように切り替えることを特徴としている。
【０００８】
請求項４に記載の発明は、請求項１から３のいずれか１項に記載の発明において、力率改善回路は、昇圧用チョークコイルのいずれか一方の動作を停止することによって、力率を改善することを特徴としている。
【０００９】
請求項５に記載の発明は、請求項１に記載の発明において、切替手段は、電圧値が１００ボルト系である場合に、昇圧用チョークコイルが並列接続となるように切り替え、力率改善回路は、昇圧用チョークコイルが交互に動作することによって、力率を改善することを特徴としている。
【００１０】
請求項６に記載の発明は、請求項１から５のいずれか１項に記載の発明において、力率改善回路から出力された電圧を予め定められた電圧値の電圧に変換する変換手段を含むことを特徴としている。
【００１１】
請求項７に記載の発明は、請求項１から６のいずれか１項に記載の電源装置と、電源装置から供給された電力が入力される負荷と、を有する画像形成装置である。
【発明の効果】
【００１２】
請求項１に記載の発明によれば、昇圧用チョークコイルの大型化を抑えつつ、入力電流の高調波を抑制することができる。
【００１３】
請求項２に記載の発明によれば、交流電源の電圧値が１００Ｖ系である場合の入力電流と比べて小さな入力電流でも、高調波を抑制することができる。
【００１４】
請求項３に記載の発明によれば、ユニバーサル電源として使用しても、入力電流の高調波を抑制することができる。
【００１５】
請求項４に記載の発明によれば、交流電源の電圧値が１００Ｖ系であって、負荷が高い場合に必要とされる入力電流と比べて小さな入力電流でも、高調波を抑制することができる。
【００１６】
請求項５に記載の発明によれば、交流電源の電圧値が１００Ｖ系であって、負荷が高い場合に必要とされる入力電流であっても、高調波を抑制することができる。
【００１７】
請求項６に記載の発明によれば、電源装置から所望の電圧値を有する電圧を取り出すことができる。
【００１８】
請求項７に記載の発明によれば、高調波が抑えられた入力電流に基づく電力が負荷に供給される。
【図面の簡単な説明】
【００１９】
【図１】画像形成装置の構成図の一例である。
【図２】電源装置の回路図の一例である。
【図３】電源装置の回路図の他の一例である。
【図４】電源装置の回路図の他の一例である。
【図５】比較例に係る入力電流の波形図である。
【図６】実施形態に係る入力電流の波形図である。
【発明を実施するための形態】
【００２０】
以下、本発明を実施するための形態について図面を参照して説明する。
【００２１】
図１は、画像形成装置１００の構成図の一例である。
画像形成装置１００は、図１に示すように、電源装置１０と、駆動系負荷２０と、制御系負荷３０とを含む。画像形成装置１００は、例えば、複写機能、ファクシミリ機能、印刷機能、スキャナ機能の少なくとも１つの機能を有する装置である。
【００２２】
電源装置１０は、駆動系負荷２０、制御系負荷３０に電力を供給する。電源装置１０は、駆動系負荷２０に対して、例えば１２Ｖ（ボルト）や２４Ｖの電力を供給する。電源装置１０は、制御系負荷３０に対して、例えば５Ｖの電力を供給する。
【００２３】
駆動系負荷２０は、ドライブモータ、スキャナモータ、ファンなどを含む。駆動系負荷２０における負荷電力は、例えば、画像形成装置１００が画像を出力している場合に、画像を出力していない場合と比べて、大きくなる。
尚、画像を出力している場合とは、例えば、電源装置１０が１２Ｖや２４Ｖの電力を駆動系負荷２０に供給し、５Ｖの電力を制御系負荷３０に供給している場合をいう。この場合を、電源モードがジョブモードである場合という。画像を出力していない場合とは、例えば、電源装置１０が１２Ｖの電力を駆動系負荷２０の一部に供給し、５Ｖの電力を制御系負荷３０に供給している場合、又は、電源装置１０が５Ｖの電力を制御系負荷３０のみに供給している場合をいう。前者の場合を、電源モードがスタンバイモードである場合という。後者の場合を、電源モードがスリープモードである場合という。
【００２４】
制御系負荷３０は、制御装置、画像処理装置、ファクシミリ装置などを含む。これらの各装置は、例えば、ＣＰＵ（Central Processing Unit）やＤＲＰ（Dynamic Reconfigurable Processor）などで構成される。制御系負荷３０における負荷電力は、電源モードがスタンバイモードとジョブモードとの間では大きな差はないが、電源モードがスリープモードに移行すると、小さくなる。
【００２５】
図２は、電源装置１０の回路図の一例である。
電源装置１０は、整流回路１１と、力率改善回路（以下、ＰＦＣ（Power Factor Correction）回路という。）１２と、スイッチ１３と、切替回路１４と、コンバータ回路１５とを含む。
【００２６】
整流回路１１は、複数のダイオードで構成された全波整流回路である。整流回路１１の一端は、交流電源ＰＷと接続される。整流回路１１は、交流電源ＰＷから出力された電流を整流する。この結果、交流の電流は直流の電流となる。
【００２７】
ＰＦＣ回路１２は、一対の昇圧用チョークコイルＬ１，Ｌ２と、ダイオード素子Ｄ１，Ｄ２と、トランジスタＱ１，Ｑ２と、コンデンサＣ１と、抵抗素子Ｒ１，Ｒ２と、ＰＦＣ制御回路１２ａとを含む。ＰＦＣ回路１２は、出力電圧を入力電圧より高い電圧に昇圧するとともに、自身に入力された入力電流を自身に入力された入力電圧と相似の正弦波にすることによって力率を改善する。
【００２８】
昇圧用チョークコイルＬ１，Ｌ２は、並列に接続されている。昇圧用チョークコイルＬ１，Ｌ２の一端は、スイッチ１３の端子１３ａに接続されている。昇圧用チョークコイルＬ１の他端は、ダイオード素子Ｄ１のアノードと接続されている。昇圧用チョークコイルＬ２の他端は、ダイオード素子Ｄ２のアノードと接続されている。昇圧用チョークコイルＬ２の他端は、スイッチ１３の端子１３ｂとも接続されている。
【００２９】
トランジスタＱ１,Ｑ２は、ＦＥＴ（Field effect Transistor：電界効果型トランジスタ）で構成される。トランジスタＱ１のドレインは、昇圧用チョークコイルＬ１の他端と接続されている。トランジスタＱ２のドレインは、昇圧用チョークコイルＬ２の他端と接続されている。トランジスタＱ１,Ｑ２のソースは、ともに出力端子Ｐと接続されている。トランジスタＱ１,Ｑ２のゲートは、ともにＰＦＣ制御回路１２ａと接続されている。
【００３０】
ダイオード素子Ｄ１,Ｄ２のカソードは、ともにＰＦＣ回路１２の出力端子Ｍと接続されている。
コンデンサＣ１の一端は、ＰＦＣ回路１２の出力端子Ｍと接続されている。コンデンサＣ１の他端は、出力端子Ｐと接続されている。
【００３１】
抵抗素子Ｒ１,Ｒ２は、直列に接続されている。抵抗素子Ｒ１の一端は、ＰＦＣ回路１２の出力端子Ｍと接続されている。抵抗素子Ｒ１の他端は、抵抗素子Ｒ２の一端と接続されている。抵抗素子Ｒ２の他端は、出力端子Ｐと接続されている。抵抗素子Ｒ１,Ｒ２は、電圧検出回路として機能し、抵抗素子Ｒ１と抵抗素子Ｒ２とで分圧された電圧を出力する端子ＮがＰＦＣ制御回路１２ａに接続されている。
【００３２】
ＰＦＣ制御回路１２ａは、端子Ｎの電圧値を、内部で生成した三角波と比較して、トランジスタＱ１,Ｑ２のゲート電圧を個別に制御する。また、ＰＦＣ制御回路１２ａは、切替回路１４から出力された各種制御信号に基づいても、トランジスタＱ１,Ｑ２のゲート電圧を個別に制御する。
【００３３】
スイッチ１３は、整流回路１１の出力側とＰＦＣ回路１２の入力側とを繋ぎ、昇圧用チョークコイルＬ１，Ｌ２同士の接続形態を変える。図２に示すように、例えば、端子１３ｂと端子１３ｃとが接続されるようにスイッチ１３が切り替えられると、昇圧用チョークコイルＬ１，Ｌ２は直列接続となる。逆に、端子１３ａと端子１３ｃとが接続されるようにスイッチ１３が切り替えられると、昇圧用チョークコイルＬ１，Ｌ２は並列接続となる。尚、スイッチ１３は、リレーやＦＥＴなどの電気的なものであってもよいし、機械的なものであってもよい。
【００３４】
切替回路１４は、交流電源ＰＷの電圧値に基づいて、スイッチ１３を切り替える。例えば、図２に示すように、交流電源ＰＷの電圧値が２００Ｖ系である場合には、端子１３ｂと端子１３ｃとが接続されるようにスイッチ１３を切り替える。逆に、交流電源ＰＷの電圧値が、後述するように、１００Ｖ系である場合には、端子１３ａと端子１３ｃとが接続されるようにスイッチ１３を切り替える。また、切替回路１４は、交流電源ＰＷの電圧値、及び上述した電源モードに関する制御信号をＰＦＣ制御回路１３に出力する。
【００３５】
コンバータ回路１５は、ＰＦＣ回路１２の出力端子Ｍ及び出力端子Ｐと接続される。コンバータ回路１５は、一又は複数のＤＣ／ＤＣコンバータで構成される。ＤＣ／ＤＣコンバータは、フライバックコンバータ、フィードフォワードコンバータ、プッシュプルコンバータ、ハーフブリッジコンバータのいずれでもよい。コンバータ回路１５は、ＰＦＣ回路１２から出力された電圧を、予め定められた電圧に絶縁して変換し、駆動系負荷２０や制御系負荷３０に電力として出力する。
【００３６】
続いて、本実施形態に係る電源装置１０の動作について説明する。
【００３７】
まず、交流電源ＰＷの電圧値が２００Ｖ系である場合について、図２を参照して説明する。
尚、２００Ｖ系は、２００Ｖから２８０Ｖまでの範囲内の電圧を示し、例えば、２００Ｖ、２２０Ｖ、２３０Ｖ、２４０Ｖなどが該当する。
【００３８】
切替回路１０は、画像形成装置１００のコンセントが交流電源ＰＷと接続され、交流電源ＰＷの電圧値が２００Ｖ系であると判断すると、端子１３ｂと端子１３ｃとが接続されるようにスイッチ１３を切り替える。また、切替回路１０は、交流電源ＰＷの電圧値が２００Ｖ系である旨の制御信号をＰＦＣ制御回路１２ａに出力する。
【００３９】
ＰＦＣ制御回路１２ａは、２００Ｖ系である旨の制御信号を受信すると、トランジスタＱ１にゲート電圧を供給したり、停止したりする。一方、ＰＦＣ制御回路１２ａは、トランジスタＱ２にゲート電源を供給しない。この結果、トランジスタＱ１は、スイッチとしてオンされたりオフされたりする状態を繰り返す。一方、トランジスタＱ２は、スイッチとしてオフされた状態を継続する。したがって、ＰＦＣ回路１２は、２００Ｖ系であっても、いわゆる臨界モードのシングル方式で稼動する。
【００４０】
昇圧用チョークコイルＬ１,Ｌ２は、端子１３ｂと端子１３ｃとが接続されるようにスイッチ１３が切り替えられることによって、直列接続となる。このため、直列接続された昇圧用チョークコイルＬ１,Ｌ２の合計のインダクタンス値が、後述する１００Ｖ系における昇圧用チョークコイルＬ１だけのインダクタンス値より大きくなる。特に、２００Ｖ系では、１００Ｖ系より必要な入力電流が小さいため、入力電流が高調波を含む歪んだ入力波形となってしまったり、スイッチング周波数が高くなって効率が落ちてしまったりするといった可能性が、直列接続によってインダクタンス値が大きくなり、抑えられる。
【００４１】
交流電源ＰＷから出力された電流は、整流回路１１によって直流の入力電流Ｉ３となる。入力電流Ｉ３は、スイッチ１３を通じて、昇圧用チョークコイルＬ２の他端から一端に流れる。尚、入力電流Ｉ３は、トランジスタＱ２にゲート電圧が供給されていないため、出力端子Ｐ側には流れていかない。入力電流Ｉ３は、さらに、昇圧用チョークコイルＬ２の一端から昇圧用チョークコイルＬ１の一端に流れ、昇圧用チョークコイルＬ１の他端に流れる。
【００４２】
ここで、トランジスタＱ１にゲート電圧が供給されている場合には、トランジスタＱ１は、スイッチオンとして機能する。このため、入力電流Ｉ３は、トランジスタＱ１を流れ、昇圧用チョークコイルにエネルギーを蓄える。逆にトランジスタＱ１にゲート電圧が供給されていない場合は、トランジスタＱ１はスイッチオフとして機能する。このため、入力電流Ｉ３は、ダイオードＤ１を流れて、コンデンサＣ１を充電する。この時、トランジスタＱ１がオン期間に昇圧用チョークコイルＬ１に発生する逆起電圧が、入力電圧に重畳されるため、入力電圧より高い電圧がコンデンサＣ１に充電される。
【００４３】
ＰＦＣ制御回路１２ａは、端子Ｎの電圧値を、内部で生成した三角波と比較して、トランジスタＱ１にゲート電圧を供給したり、停止したりする。この結果、２００Ｖ系であっても、１つあたりの昇圧用チョークコイルを大型化せずに、高調波を抑えた入力電流Ｉ３がＰＦＣ回路１２内に流れる。
【００４４】
次に、交流電源ＰＷの電圧値が１００Ｖ系である場合について、図３を参照して説明する。
尚、１００Ｖ系は、１００Ｖから１３０Ｖまでの範囲内の電圧を示し、例えば、１００Ｖ、１１０Ｖ、１２０Ｖなどが該当する。
【００４５】
図３は、電源装置１０の回路図の他の一例である。
電源装置１０は、図２と対比して、以下の点が相違する。
切替回路１０は、画像形成装置１００のコンセントが交流電源ＰＷと接続され、交流電源ＰＷの電圧値が１００Ｖ系であると判断すると、端子１３ａと端子１３ｃとが接続されるようにスイッチ１３を切り替える。この結果、昇圧用チョークコイルＬ１，Ｌ２は並列接続となる。
【００４６】
また、切替回路１０は、交流電源ＰＷの電圧値が１００Ｖ系である旨の制御信号をＰＦＣ制御回路１２ａに出力する。さらに、切替回路１０は、電源モードに関する制御信号もＰＦＣ制御回路１２ａに出力する。例えば、この制御信号には、電源モードがスリープモードである旨が含まれる。この結果、制御系負荷３０にのみ電力を供給すればよいため、ＰＦＣ制御回路１２は、必要な入力電流が小さくてよいということを判断する。
【００４７】
ＰＦＣ制御回路１２ａは、１００Ｖ系である旨の制御信号及び上述した電源モードに関する制御信号を受信すると、図２に示した場合と同様に、トランジスタＱ１にゲート電圧を供給したり、停止したりする。一方、ＰＦＣ制御回路１２ａは、トランジスタＱ２にゲート電源を供給しない。この結果、トランジスタＱ１は、スイッチとしてオンされたりオフされたりする状態を繰り返す。一方、トランジスタＱ２は、スイッチとしてオフされた状態を継続する。
【００４８】
交流電源ＰＷから出力された交流の電流は、整流回路１１によって直流の入力電流Ｉ３となる。入力電流Ｉ３は、スイッチ１３を通じて、昇圧用チョークコイルＬ１の一端から他端に流れる。尚、入力電流Ｉ３は、トランジスタＱ２にゲート電圧が供給されていないため、昇圧用チョークコイルＬ２側には流れていかない。この結果、電圧値が１００Ｖ系であって、スリープモードなど軽負荷の場合にも、いわゆる臨界モードのシングル方式でＰＦＣ回路１２は稼動する。したがって、このような場合にも、入力電流Ｉ３の高調波が抑えられる。
【００４９】
図４は、電源装置１０の回路図の他の一例である。
電源装置１０は、図３と対比して、以下の点が相違する。
切替回路１０は、電源モードに関する制御信号をＰＦＣ制御回路１２ａに出力するが、図４に示す場合、この制御信号には、電源モードがジョブモードである旨が含まれる。この結果、制御系負荷３０だけでなく駆動系負荷２０にも電力を供給する必要があるため、ＰＦＣ制御回路１２は、必要な入力電流が大きいと判断する。
【００５０】
ＰＦＣ制御回路１２ａは、１００Ｖ系である旨及び上述した電源モードに関する制御信号を受信すると、トランジスタＱ１にゲート電圧を供給したり、停止したりする。また、トランジスタＱ２にもゲート電圧を供給したり、停止したりもする。ゲート電圧の供給は、スイッチングの位相を例えば１８０度ずらして交互に行われる。トランジスタＱ１は、スイッチとしてオンされたりオフされたりする状態を繰り返す。また、トランジスタＱ２も、スイッチとしてオンされたりオフされたりする状態を繰り返す。
【００５１】
交流電源ＰＷから出力された交流の電流は、整流回路１１によって直流の入力電流Ｉ３となる。入力電流Ｉ３は、スイッチ１３を通じて、昇圧用チョークコイルＬ１，Ｌ２の一端から他端に流れる。ゲート電圧は、トランジスタＱ１だけでなく、トランジスタＱ２にも供給されている。このため、入力電流Ｉ３のうち、入力電流Ｉ１が昇圧用チョークコイルＬ１に流れる。入力電流Ｉ３のうち、入力電流Ｉ２が昇圧用チョークコイルＬ２に流れる。すなわち、電圧値が１００Ｖ系であって、ジョブモードなどの重負荷の場合には、ＰＦＣ回路１２は、いわゆる臨界モードのインターリーブ方式で稼動する。トランジスタＱ１，Ｑ２に流れる入力電流は分散されるため、トランジスタＱ１，Ｑ２のスイッチングによる入力電流Ｉ１，Ｉ２の高調波が抑えられる。
【００５２】
以上説明したように、本実施形態に係る電源装置１０は、交流電源ＰＷの電圧値が２００Ｖ系であっても１００Ｖ系であっても、入力電流の高調波を抑制して稼動する。特に、電圧値が２００Ｖ系である場合には、昇圧用チョークコイルＬ１，Ｌ２の直列接続によってインダクタンス値を増加させるため、昇圧用チョークコイルＬ１，Ｌ２の大型化を回避して高調波を抑制する。このため、本実施形態に係る電源装置１０は、電圧値が２００Ｖ系であっても１００Ｖ系でも使用される、いわゆるユニバーサル電源としても機能する。
【００５３】
次に、ＰＦＣ回路１２に入力される入力電流の波形を図５及び図６を参照して説明する。
【００５４】
図５は、比較例に係る入力電流の波形図である。図６は、実施形態に係る入力電流の波形図である。図５及び図６において、ＰＦＣ回路１２を動作させる各種条件は、以下の通りである。（１）交流電源ＰＷの電圧値が２３０Ｖである。（２）出力が７３Ｗ（ワット）である。（３）昇圧用チョークコイルＬ１，Ｌ２のインダクタンス値が共に８５μＨ（マイクロヘンリー）である。（４）ＰＦＣ回路１２の動作方式は、臨界モードのシングル方式である。
【００５５】
以上の条件において、図５に示す比較例に係る波形図では、切替回路１４は、端子１３ａと端子１３ｃとを接続するようにスイッチ１３を切り替えた。ＰＦＣ回路１２は、臨界モードのシングル方式であるため、トランジスタＱ２へのゲート電圧の供給は常時停止されており、トランジスタＱ１へのゲート電圧の供給がなされている。このため、ＰＦＣ回路１２に入力される入力電流は、昇圧用チョークコイルＬ１にのみ流れる。
この比較例では、図５に示すように、入力電流の随所に高調波が生じる。このため、力率は７７．０％、効率は７１．２％となった。
【００５６】
一方、図６に示す実施形態に係る波形図では、切替回路１４は、端子１３ｂと端子１３ｃとを接続するようにスイッチ１３を切り替えた。ＰＦＣ回路１２は、臨界モードのシングル方式であるため、トランジスタＱ２へのゲート電圧の供給は常時停止されており、トランジスタＱ１へのゲート電圧の供給がなされている。このため、ＰＦＣ回路１２に入力される入力電流は、直列接続となった昇圧用チョークコイルＬ１，Ｌ２の双方に流れる。
この実施形態では、図６に示すように、入力電流の高調波が抑制された。このため、力率は８３．６％、効率は７３．３％となった。したがって、図５に示す場合と比べて、力率及び効率の双方が改善された。
【００５７】
以上、本発明の好ましい実施形態について詳述したが、本発明に係る特定の実施形態に限定されるものではなく、特許請求の範囲に記載された本発明の要旨の範囲内において、種々の変形・変更が可能である。
【符号の説明】
【００５８】
１０  電源装置
１１  整流回路
１２  ＰＦＣ回路
１３  スイッチ
１４  切替回路
１５  コンバータ回路
２０  駆動系負荷
３０  制御系負荷
１００  画像形成装置
ＰＷ  交流電源
【図１】
2012016164.tif 000003
【図２】
2012016164.tif 000004
【図３】
2012016164.tif 000005
【図４】
2012016164.tif 000006
【図５】
2012016164.tif 000007
【図６】
2012016164.tif 000008